(57)【要約】      （修正有）【課題】収容容器から簡単に展示品を取り出すことができず盗難防止が図られており、さらに収容ケースに宣伝広告用のパネルを取り付けることができる展示装置を提供する。【解決手段】展示品２を支持する底蓋あるいは設置台と、この底蓋あるいは設置台に載せられた展示品２を上方から覆い底蓋あるいは設置台にねじ止めされる透明カバー９と、透明カバー９の背面に取り付けられた宣伝パネル２１とを備える。【選択図】図１
0003160691.tif 000002
【実用新案登録請求の範囲】
【請求項１】
展示品を受ける受部と、
この受部に載せられた展示品を上方から覆い受部にねじ止めされる透明カバーと、
透明カバーの側面に取り付けられた販売促進用パネルとを備えることを特徴とする展示装置。
【考案の詳細な説明】
【技術分野】
【０００１】
本考案は、展示装置に関し、より詳細には展示会場に展示される展示品を収容する展示装置の技術に関する。
【背景技術】
【０００２】
従来から商品等を展示する容器はあった。たとえば特許文献１に記載される容器は、全体が透明プラスチックフィルムで形成されており概ね直方体である。容器の上蓋が開けられて商品等が収容される。外部から商品を観察する観察面は斜めに形成されており、外部から商品を観察しやすくされている。
【先行技術文献】
【特許文献】
【０００３】
【特許文献１】特開２００５−４７５６１号公報
【考案の概要】
【考案が解決しようとする課題】
【０００４】
特許文献１に開示される容器は箱状であり、上蓋は自由に開けることができるので、上蓋を開けて簡単に商品等を取り出すことができるので安全面で問題がある。また容器の外部に宣伝広告用のパネルを取り付けて視覚的に注意を引きたい場合があるが、宣伝広告用のパネルを取り付けることができない。
【０００５】
本考案の目的は、このような課題を解決するもので、収容容器から簡単に展示品を取り出すことができず盗難防止が図られており、さらに収容ケースに宣伝広告用のパネルを取り付けることができる展示装置を提供することである。
【課題を解決するための手段】
【０００６】
この課題を解決するために本考案は、展示品を受ける受部と、この受部に載せられた展示品を上方から覆い受部にねじ止めされる透明カバーと、透明カバーの側面に取り付けられた販売促進用パネルとを備える。
【考案の効果】
【０００７】
請求項１記載の考案によれば、展示品を受ける受部と、この受部に載せられた展示品を上方から覆い受部にねじ止めされる透明カバーと、透明カバーの側面に取り付けられた販売促進用パネルとを備えるので、収容容器から簡単に展示品を取り出すことができず盗難防止が図られており、さらに収容ケースに宣伝広告用のパネルを取り付けることができる。
【図面の簡単な説明】
【０００８】
【図１】展示装置１の斜視図である。
【図２】第１連結部材１１の取り付け手順を示す斜視図である。
【図３】補強板１４の取り付け手順を示す斜視図である。
【図４】第２連結部材１２の取り付け手順を示す斜視図である。
【図５】第２連結部材１２が設置された状態を示す斜視図である。
【図６】第３連結部材１３の取り付け手順を示す斜視図である。
【図７】天板１５の取り付け手順を示す斜視図である。
【図８】底蓋５の取り付け手順を示す斜視図である。
【図９】ターンテーブル６の取り付け手順を示す斜視図である。
【図１０】展示品固定台７の取り付け手順を示す斜視図である。
【図１１】蓋板８の取り付け手順を示す斜視図である。
【図１２】展示品２の設置手順を示す斜視図である。
【図１３】カバー９の取り付け手順を示す斜視図である。
【図１４】展示装置２５の斜視図である。
【図１５】設置台２７にカバー２８が固定された状態の斜視図である。
【図１６】設置台２７にカバー２８が固定された状態の側面図である。
【考案を実施するための形態】
【０００９】
本考案の第１の実施形態について図１〜図１３を用いて説明する。図１は、展示装置１の斜視図である。図２は、第１連結部材１１の取り付け手順を示す斜視図である。図３は、補強板１４の取り付け手順を示す斜視図である。図４は、第２連結部材１２の取り付け手順を示す斜視図である。図５は、第２連結部材が設置された状態を示す斜視図である。図６は、第３連結部材１３の取り付け手順を示す斜視図である。図７は、天板１５の取り付け手順を示す斜視図である。図８は、底蓋５の取り付け手順を示す斜視図である。図９は、ターンテーブル６の取り付け手順を示す斜視図である。図１０は、展示品固定台７の取り付け手順を示す斜視図である。図１１は、蓋板８の取り付け手順を示す斜視図である。図１２は、展示品２の設置手順を示す斜視図である。図１３は、カバー９の取り付け手順を示す斜視図である。
【００１０】
展示装置１は、展示品２を収容する収容ケース３と収容ケース３を支持する支持台４とを備える。収容ケース３は、黒色のアクリル板で形成され開口が上方に向いた箱状の底蓋５と底蓋５の内部に設置されるターンテーブル６とターンテーブル６の上面に両面テープで固定される展示品固定台７と展示品固定台７の周縁部を覆う蓋板８と展示品固定台７に載せられた展示品２を覆う透明なアクリルで形成されたカバー９とを備える。
【００１１】
支持台４は、支持台４の底部を形成する底部材１０と、底部材１０の周囲を覆うように嵌め込まれる第１連結部材１１と、第１連結部材１１の上部に嵌め込まれる第２連結部材１２と、第２連結部材１２の上部に嵌め込まれる第３連結部材１３と、連結部材１１，１２，１３の内部に設置される補強材１４と、第３連結部材１３の上部に嵌め込まれる天板１５とを備える。底部材１０，第１連結部材１１，第２連結部材１２，第３連結部材１３，補強材１４および天板１５は、いずれも段ボールで形成される。底部材１０は底板１６の上面に断面が正方形の筒部１７を連結されたものである。第１連結部材１１〜第３連結部材１３はいずれも断面が正方形の筒状であり、上部および下部の各辺には鉛直方向に切り込み部１８が２箇所設けられる。補強材１４は、長手方向が上下に向いて断面が十字状であり、中央部が幅狭に形成される。天板１５は、開口を下方に向いた正方形の箱状である。
【００１２】
ここで展示装置１の組み立て手順を説明する。まず図２に示すように、展示装置１が設置されるフロアに底部材１０が設置され、底部材１０の正方形の筒部１７を覆うように第１連結部材１１を嵌め込む。次に図３に示すように、補強材１４が、底部材１０の正方形の筒部１７の内部に挿入される。次に図４に示すように、十字状の補強材１４が対角線上に位置した状態で第２連結部材１２を補強材１４に嵌め込み、図５に示すように、補強材１４の幅狭な中央部で４５°回転させた後第１連結部材１１に連結させる。このとき第２連結部材１２の下部切り込み部１８を第１連結部材１１の上部切り込み部１８に嵌め込む。図６に示すように、第２連結部材１２の上方に、第３連結部材１３を第２連結部材１２から見て４５°回転させた状態で連結させる。このとき第３連結部材１３の下部切り込み部１８を第２連結部材１２の上部切り込み部１８に嵌め込む。図７に示すように、天板１５を底面が上方に向いた状態で第３連結部材１３の上面から挿入し、補強材１４の上端部に当接させる。このようにして支持台４が組み立てられる。
【００１３】
図８に示すように、天板１５の上部には底蓋５が天板１５に当接した状態で設置された後に、図９に示すようにターンテーブル６が底蓋５の内部に設置される。底蓋５に設置されたターンテーブル６の上面１９には、図１０に示すように展示品固定台７が両面テープで固定され、図１１に示すように蓋板８が展示品固定台７の周縁部を覆うように嵌め込まれる。図１２に示すように、展示品固定台７に展示品２としてたとえばマジックミラーが置かれた後に、図１３に示すようにマジックミラーを覆うようにカバー９が第３連結部材１３と底蓋５との間に差し込まれる。支持台４に設置された収容ケース３は第３連結部材１３の切り込み部１８にビス２０でねじ止めされ、さらに図１に示すようにカバー９の背面には宣伝パネル２１が貼付される。宣伝パネル２１は縦方向に折り曲げられており、宣伝パネル２１の下部が両面テープを用いてカバー９に貼付される。このようにして展示装置１が形成される。
【００１４】
支持台４は軽量な段ボール製の連結部材１１，１２，１３を積み重ねて形成されるので、展示品２を展示する展示会場まで容易に運搬することができ、また本実施例においては連結部材１１，１２，１３を３個用いたが、積み重ねる連結部材の個数を変えることによって展示品２の高さを任意に設定することができる。さらに展示品２を載せた展示品固定台７はターンテーブル６によって回転するので、展示品２の全体を容易に見ることができ人目を引く。
【００１５】
次に本考案の第２の実施形態について、図１４〜図１６を用いて説明する。図１４は、展示装置２５の斜視図である。図１５は、設置台２７にカバー２８が固定された状態の斜視図である。図１６は、設置台２７にカバー２８が固定された状態の側面図である。
【００１６】
展示装置２５は、展示品２６を支持する設置台２７とカバー２８とを備える。設置台２７には、展示品２６を支持する支持部２９が形成される。支持部２９の上面は、展示品２６の下面を安定して支持することができるような形状とされる。カバー２８は設置台２７にビス３０でねじ止めされ、カバー２８の背面と設置台２７の下面前方には、宣伝パネル３１，３２が両面テープで固定される。このようにして組み立てられた展示装置２５は、たとえば展示会場の机に置かれる。
このように、展示品２，２６を支持する底蓋５あるいは設置台２７と、この底蓋５あるいは設置台２７に載せられた展示品２，２６を上方から覆い底蓋５あるいは設置台２７にねじ止めされる透明カバー９，２８と、透明カバー９，２８の背面に取り付けられた宣伝パネル２１，３１とを備えるので、展示装置１，２５から簡単に展示品２，２６を取り出すことができず盗難防止が図られており、さらに収容ケース３あるいは展示装置２５に宣伝パネル２１，３１を取り付けることができる。
【符号の説明】
【００１７】
１，２５    展示装置
２，２６    展示品
３    収容ケース
４    支持台
５    底蓋
６    ターンテーブル
７    展示品固定台
８    蓋板
９，２８    カバー
１０    底部材
１１    第１連結部材
１２    第２連結部材
１３    第３連結部材
１４    補強材
１５    天板
１６    底板
１７    筒部
１８    切り込み部
１９    上面
２０，３０    ビス
２１，３１    宣伝パネル
２７    設置台
２９    支持部
【図１】
0003160691.tif 000003
【図２】
0003160691.tif 000004
【図３】
0003160691.tif 000005
【図４】
0003160691.tif 000006
【図５】
0003160691.tif 000007
【図６】
0003160691.tif 000008
【図７】
0003160691.tif 000009
【図８】
0003160691.tif 000010
【図９】
0003160691.tif 000011
【図１０】
0003160691.tif 000012
【図１１】
0003160691.tif 000013
【図１２】
0003160691.tif 000014
【図１３】
0003160691.tif 000015
【図１４】
0003160691.tif 000016
【図１５】
0003160691.tif 000017
【図１６】
0003160691.tif 000018